(57)【要約】      （修正有）【課題】スケートボード又はローラースケート靴の三次元独立懸吊平衡装置の提供。【解決手段】スケートボード１０又はローラースケート靴の底部のベース２０上に主体座４０が設けられ、主体座底部の両端に枢軸で輪座３０が枢設され、輪座の自由端にローラ軸でローラ３３が枢設され、ローラ軸と枢軸が一定距離を保持し、ローラが枢設軸を中心として揺動を発生可能で、ベースと主体座間及び主体座と輪座間に回復装置５０が設けられ、主体座と輪座がベースと主体座上で水平及び垂直方向の移動を発生し更に回復装置６０が組み合わされて自動回復し、各ローラが三次元独立懸吊且つ自動平衡の機能を有し、高い平衡安定性、高い緩衝性及び優れたコーナリングの目的を達成する。【選択図】図１
0003107539.tif 000002
【実用新案登録請求の範囲】
【請求項１】
底部にベースが設けられ、該ベースの上部に面積を拡大した固定部が設けられ、ベースの底部に輪座が設けられ、該輪座より突出する輪軸に軸受が組み合わされてローラが固定されたスケートボード又はローラースケート靴の三次元独立懸吊平衡装置において、
ベース両側に相互に分離する輪座が設けられ、輪座に輪軸が設けられてローラと結合されて一体とされ、且つ輪軸の中心と輪座の中心が偏心の状態を形成し、輪座接合部分に別に回復装置が設けられたことを特徴とする、スケートボード又はローラースケート靴の三次元独立懸吊平衡装置。
【請求項２】
請求項１記載のスケートボード又はローラースケート靴の三次元独立懸吊平衡装置において、ベースと主体座が枢設され、主体座が回転可能とされ、主体座底部の両側に別に両側で対応する輪座が枢設され、主体座とベースの間に主体座回復装置が設けられ、主体座と輪座の間に輪座回復装置が設けられ、主体座と輪座が輪座枢軸で枢設され、輪座枢軸が輪軸と一定の位置差を有することを特徴とする、スケートボード又はローラースケート靴の三次元独立懸吊平衡装置。
【請求項３】
請求項１又は２記載のスケートボード又はローラースケート靴の三次元独立懸吊平衡装置において、ベースと主体座及び主体座と輪座に相互に対応する接合構造が設けられ、該接合構造は、ベース底部の主体座に対応する端面に設けられた接合部とベース接合部を具え、接合部の両端の短端面が案内縁とされ、ベース接合部にそれに対応する案内縁が形成され、二つの案内縁の間に形成される長辺が回復当接縁とされて主体座回復装置と組み合わされることを特徴とする、スケートボード又はローラースケート靴の三次元独立懸吊平衡装置。
【請求項４】
請求項１記載のスケートボード又はローラースケート靴の三次元独立懸吊平衡装置において、主体座回復装置の回復手段のベース接合部に進入する端部がベース接合部の回復当接縁に当接し、主体座に主体座回復装置に対応するシール手段が設けられ、回復手段の両端に別に制限座が設けられ、制限座の一端中央に回復手段に向けて当接部が設けられ、別端に支持部が設けられ、回復部の回復当接縁と当接し、もう一つの制限座の支持部はシール手段の支持部と当接し、調整手段に調整部が設けられ、調整手段はシール手段の中央のネジの回転調整によりその回復手段に向けて突出する長さが調整され、シール手段は主体座に設けられた位置決め手段により位置決めされて不回転とされたことを特徴とする、スケートボード又はローラースケート靴の三次元独立懸吊平衡装置。
【請求項５】
請求項１又は２記載のスケートボード又はローラースケート靴の三次元独立懸吊平衡装置において、ベースとベース接合部の中心部分にベース枢軸が挿通され、ベース枢軸の両端が軸固定手段と螺合され、ベース枢軸外部に別に軸スリーブが嵌合されたことを特徴とする、スケートボード又はローラースケート靴の三次元独立懸吊平衡装置。
【請求項６】
請求項１又は２記載のスケートボード又はローラースケート靴の三次元独立懸吊平衡装置において、主体座と輪座間が輪座枢軸で枢設され、輪座中心部分に軸挿通部が設けられ、並びに軸挿通部の底部に軸孔が設けられ、輪座枢軸がその間を通過し、輪座枢軸が主体座を貫通して別端が軸固定手段と螺合され、輪座枢軸と軸固定手段の外部に中空管状の軸スリーブが嵌合されたことを特徴とする、スケートボード又はローラースケート靴の三次元独立懸吊平衡装置。
【請求項７】
請求項１又は２記載のスケートボード又はローラースケート靴の三次元独立懸吊平衡装置において、主体座と輪座間が輪座枢軸で枢設され、輪座と主体座の対応する端面に接合部と輪座接合部が設けられ、該接合部が案内縁と回復当接縁を具え、回復当接縁に別に係止部が設けられ、輪座接合部に対応する案内縁が設けられ、輪座接合部の接合部の回復当接縁に対応する回復収容部が設けられ、該回復収容部内に輪座回復装置の回復手段が挿入され、別に回復収容部の開口に輪座回復装置のシール手段が固定され、回復手段の両端に二つの制限座が設けられ、制限座の一端中央に回復手段に向けて当接部が設けられ、別端に支持部が凹設されえ回復部の回復当接縁の係止部と当接し、もう一つの制限座の支持部は調整手段の支持部と当接し、調整手段の外周に調整部が設けられ、調整手段はシール手段の中央のネジの回転によりその回復手段に向けて突出する長さが調整され、主体座のシール手段に対応する部分に別に位置決め手段が設けられたことを特徴とする、スケートボード又はローラースケート靴の三次元独立懸吊平衡装置。
【請求項８】
請求項１又は２記載のスケートボード又はローラースケート靴の三次元独立懸吊平衡装置において、主体座とベース、及び主体座と輪座の間にそれぞれ防塵装置が設けられたことを特徴とする、スケートボード又はローラースケート靴の三次元独立懸吊平衡装置。
【請求項９】
請求項１又は２記載のスケートボード又はローラースケート靴の三次元独立懸吊平衡装置において、ベースとスケートボードの間に異なる高さ及び傾斜の調整手段が設けられたことを特徴とする、スケートボード又はローラースケート靴の三次元独立懸吊平衡装置。
【請求項１０】
請求項１又は２記載のスケートボード又はローラースケート靴の三次元独立懸吊平衡装置において、輪座回復装置及び主体座回復装置が少なくとも一組以上の回復手段と調整手段の組合せ形態とされたことを特徴とする、スケートボード又はローラースケート靴の三次元独立懸吊平衡装置。
【請求項１１】
請求項１又は２記載のスケートボード又はローラースケート靴の三次元独立懸吊平衡装置において、回復装置に付勢力調整構造が設けられ、その調整装置は調整手段が軸挿通部の調整孔にねじ込まれ、調整手段が軸挿通部を通過して接合部の回復当接縁の調整溝に至り、調整ブロックの収容に供され、調整ブロックの調整手段に対応する端部に凹んだ当接部が設けられ、一端に案内斜面が設けられて調整溝の案内斜面に組み合わされ、調整ブロックにあって回復装置の支持部に対応する部分に制圧面が設けられたことを特徴とする、スケートボード又はローラースケート靴の三次元独立懸吊平衡装置。
【請求項１２】
請求項１又は２記載のスケートボード又はローラースケート靴の三次元独立懸吊平衡装置において、主体座と輪座間の輪座回復装置がブロック状構造の回復手段を具えたことを特徴とする、スケートボード又はローラースケート靴の三次元独立懸吊平衡装置。
【考案の詳細な説明】
【技術分野】
【０００１】
本考案は一種のスケートボード又はローラースケート靴の三次元独立懸吊平衡装置に係り、特に、確実にスケートボード又はローラースケート靴のコーナリング時の安全性と機動性を保持でき、更にローラを自動回復させ平衡を保持させられる多次元方向の独立懸吊装置に関する。
【背景技術】
【０００２】
現在のスケートボードの構造は、板体の底部に二組のベースが設けられ、該ベースに直接、単点支持の位置決め支持部とスプリング或いはパワーゴム支持が組み合わされた弾性支持部で輪座が接合され、輪座の両端の端部にローラが嵌合され、二つのローラ或いは直接輪座或いは輪座に枢設された或いは輪座に固定された回転軸の両端部に枢設されて一体とされ、このような構造は輪座の回転の角度が十分に有限であり、スケートボードのコーナリング時に必要な回転角度に符合する有効な回転が行なえず、重心の不安定が発生して転んで使用者に危害が及ぶ状況が発生し、且つコーナリングの機動性も有限であり、使用者の技術性が十分に高くなければならず、一般の使用者に広く受け入れられるものではなく、障害に遭遇する時の安定性が低く、安全性に非常に大きな影響を与える。
【０００３】
また、スケードボードの輪座の構造には、別にＳＥＩＳＭＩＩＣ社及びＢＭＷ社製のスケートボードのようなものがあり、そのスケートボードの全体構造は複雑すぎて製造コストが高いのみならず、前後二組のローラの構造が相互に影響を与えて安定度が下がり全体の使用の安全性に対して多くの不都合を形成する。
【０００４】
前述の各欠点はまた各種の従来のローラースケート靴にも見られ、インラインスケート靴では、その各車輪は固定された形態とされ、使用者のコーナリングの必要に合わせた動作が行なえず、二つずつ車輪が並列配置された四輪のローラースケート靴においてもこのような構造の欠点があり、いずれも改良の必要がある。
【考案の開示】
【考案が解決しようとする課題】
【０００５】
本考案はスケートボード又はローラースケート靴のコーナリング時或いは平常操作時の機動性、緩衝性、安定度を高めて高い安全性を達成するスケートボード又はローラースケート靴の三次元独立懸吊平衡装置を提供することを目的とする。
【０００６】
上述の目的を達成するため、本考案のスケートボード又はローラースケート靴の三次元独立懸吊平衡装置は、ベースと二つの輪座間に別に主体座が設けられ、ベース、主体座の間が相互に枢軸で枢設されて一体とされ、並びに回復装置が設けられて主体座が回転のゆとりを具備し、輪座が枢軸と輪軸の間の位置差により、主体座上で回転可能とされ、ローラがこれに伴い水平線形移動及び垂直線形移動の二次元移動量を発生し、コーナリングの機動性を達成し、安全性を高める目的を達成し、更に高い安全性と高い緩衝性を提供する。
【課題を解決するための手段】
【０００７】
請求項１の考案は、底部にベースが設けられ、該ベースの上部に面積を拡大した固定部が設けられ、ベースの底部に輪座が設けられ、該輪座より突出する輪軸に軸受が組み合わされてローラが固定されたスケートボード又はローラースケート靴の三次元独立懸吊平衡装置において、
ベース両側に相互に分離する輪座が設けられ、輪座に輪軸が設けられてローラと結合されて一体とされ、且つ輪軸の中心と輪座の中心が偏心の状態を形成し、輪座接合部分に別に回復装置が設けられたことを特徴とする、スケートボード又はローラースケート靴の三次元独立懸吊平衡装置としている。
請求項２の考案は、請求項１記載のスケートボード又はローラースケート靴の三次元独立懸吊平衡装置において、ベースと主体座が枢設され、主体座が回転可能とされ、主体座底部の両側に別に両側で対応する輪座が枢設され、主体座とベースの間に主体座回復装置が設けられ、主体座と輪座の間に輪座回復装置が設けられ、主体座と輪座が輪座枢軸で枢設され、輪座枢軸が輪軸と一定の位置差を有することを特徴とする、スケートボード又はローラースケート靴の三次元独立懸吊平衡装置としている。
請求項３の考案は、請求項１又は２記載のスケートボード又はローラースケート靴の三次元独立懸吊平衡装置において、ベースと主体座及び主体座と輪座に相互に対応する接合構造が設けられ、該接合構造は、ベース底部の主体座に対応する端面に設けられた接合部とベース接合部を具え、接合部の両端の短端面が案内縁とされ、ベース接合部にそれに対応する案内縁が形成され、二つの案内縁の間に形成される長辺が回復当接縁とされて主体座回復装置と組み合わされることを特徴とする、スケートボード又はローラースケート靴の三次元独立懸吊平衡装置としている。
請求項４の考案は、請求項１記載のスケートボード又はローラースケート靴の三次元独立懸吊平衡装置において、主体座回復装置の回復手段のベース接合部に進入する端部がベース接合部の回復当接縁に当接し、主体座に主体座回復装置に対応するシール手段が設けられ、回復手段の両端に別に制限座が設けられ、制限座の一端中央に回復手段に向けて当接部が設けられ、別端に支持部が設けられ、回復部の回復当接縁と当接し、もう一つの制限座の支持部はシール手段の支持部と当接し、調整手段に調整部が設けられ、調整手段はシール手段の中央のネジの回転調整によりその回復手段に向けて突出する長さが調整され、シール手段は主体座に設けられた位置決め手段により位置決めされて不回転とされたことを特徴とする、スケートボード又はローラースケート靴の三次元独立懸吊平衡装置としている。
請求項５の考案は、請求項１又は２記載のスケートボード又はローラースケート靴の三次元独立懸吊平衡装置において、ベースとベース接合部の中心部分にベース枢軸が挿通され、ベース枢軸の両端が軸固定手段と螺合され、ベース枢軸外部に別に軸スリーブが嵌合されたことを特徴とする、スケートボード又はローラースケート靴の三次元独立懸吊平衡装置としている。
請求項６の考案は、請求項１又は２記載のスケートボード又はローラースケート靴の三次元独立懸吊平衡装置において、主体座と輪座間が輪座枢軸で枢設され、輪座中心部分に軸挿通部が設けられ、並びに軸挿通部の底部に軸孔が設けられ、輪座枢軸がその間を通過し、輪座枢軸が主体座を貫通して別端が軸固定手段と螺合され、輪座枢軸と軸固定手段の外部に中空管状の軸スリーブが嵌合されたことを特徴とする、スケートボード又はローラースケート靴の三次元独立懸吊平衡装置としている。
請求項７の考案は、請求項１又は２記載のスケートボード又はローラースケート靴の三次元独立懸吊平衡装置において、主体座と輪座間が輪座枢軸で枢設され、輪座と主体座の対応する端面に接合部と輪座接合部が設けられ、該接合部が案内縁と回復当接縁を具え、回復当接縁に別に係止部が設けられ、輪座接合部に対応する案内縁が設けられ、輪座接合部の接合部の回復当接縁に対応する回復収容部が設けられ、該回復収容部内に輪座回復装置の回復手段が挿入され、別に回復収容部の開口に輪座回復装置のシール手段が固定され、回復手段の両端に二つの制限座が設けられ、制限座の一端中央に回復手段に向けて当接部が設けられ、別端に支持部が凹設されえ回復部の回復当接縁の係止部と当接し、もう一つの制限座の支持部は調整手段の支持部と当接し、調整手段の外周に調整部が設けられ、調整手段はシール手段の中央のネジの回転によりその回復手段に向けて突出する長さが調整され、主体座のシール手段に対応する部分に別に位置決め手段が設けられたことを特徴とする、スケートボード又はローラースケート靴の三次元独立懸吊平衡装置としている。
請求項８の考案は、請求項１又は２記載のスケートボード又はローラースケート靴の三次元独立懸吊平衡装置において、主体座とベース、及び主体座と輪座の間にそれぞれ防塵装置が設けられたことを特徴とする、スケートボード又はローラースケート靴の三次元独立懸吊平衡装置としている。
請求項９の考案は、請求項１又は２記載のスケートボード又はローラースケート靴の三次元独立懸吊平衡装置において、ベースとスケートボードの間に異なる高さ及び傾斜の調整手段が設けられたことを特徴とする、スケートボード又はローラースケート靴の三次元独立懸吊平衡装置としている。
請求項１０の考案は、請求項１又は２記載のスケートボード又はローラースケート靴の三次元独立懸吊平衡装置において、輪座回復装置及び主体座回復装置が少なくとも一組以上の回復手段と調整手段の組合せ形態とされたことを特徴とする、スケートボード又はローラースケート靴の三次元独立懸吊平衡装置としている。
請求項１１の考案は、請求項１又は２記載のスケートボード又はローラースケート靴の三次元独立懸吊平衡装置において、回復装置に付勢力調整構造が設けられ、その調整装置は調整手段が軸挿通部の調整孔にねじ込まれ、調整手段が軸挿通部を通過して接合部の回復当接縁の調整溝に至り、調整ブロックの収容に供され、調整ブロックの調整手段に対応する端部に凹んだ当接部が設けられ、一端に案内斜面が設けられて調整溝の案内斜面に組み合わされ、調整ブロックにあって回復装置の支持部に対応する部分に制圧面が設けられたことを特徴とする、スケートボード又はローラースケート靴の三次元独立懸吊平衡装置としている。
請求項１２の考案は、請求項１又は２記載のスケートボード又はローラースケート靴の三次元独立懸吊平衡装置において、主体座と輪座間の輪座回復装置がブロック状構造の回復手段を具えたことを特徴とする、スケートボード又はローラースケート靴の三次元独立懸吊平衡装置としている。
【考案の効果】
【０００８】
本考案はスケートボード又はローラースケート靴のコーナリング時或いは平常操作時の機動性、緩衝性、安定度を高めて高い安全性を達成するスケートボード又はローラースケート靴の三次元独立懸吊平衡装置を提供する。
【考案を実施するための最良の形態】
【０００９】
図１、２、３、４、５、６に示されるように、本考案の構造は、スケートボード１０の底部の前端と後端にそれぞれ一組のベース２０が設けられ、該ベース２０の上部に面積が拡大され且つ穿孔を具えてスケートボード１０に螺子止めされる固定部２１が設けられ、ベース２０の底部に別に輪座３０が設けられ、該輪座３０より突出する輪軸３１に軸受３２が組み合わされてローラ３３が固定された構造にあって、以下を特徴としている。
【００１０】
スケートボード１０の板体１１底部のベース２０の両側に相互に分離した輪座３０が設けられ、該輪座３０それぞれに輪軸３１が設けられてローラ３３と結合されて一体とされ、且つその輪軸３１の中心と輪座３０の中心が偏心の状態をなし、各組のローラ３３が独立して水平方向及び垂直方向の移動を形成可能とされて緩衝安定の目的を達成する。
【００１１】
スケートボード１０の板体１１の底部のベース２０と主体座４０が枢設され、主体座４０が回転可能な構造形態をなし、主体座４０の底部の両側に別に両側が相互に対応する輪座３０が設けられ、主体座４０とベース２０間に主体座回復装置５０が設けられ、主体座４０と輪座３０の間に輪座回復装置６０が設けられ、主体座４０と輪座３０がそれぞれその対応する回復装置により所在の方位が校正され、主体座４０とベース２０の枢設はベースのベース枢軸７０によりなされ、主体座４０と輪座３０は輪座枢軸８０により枢設される。且つ輪座枢軸８０と輪軸３１が一定の位置差を有し、これにより各輪軸３１上のローラ３３がいずれも独立した水平及び垂直方向の移動可能とされ、各ローラ３３が独立した緩衝偏移の移動量を有し、更に近隣のローラ３３と同時に転向し並びに回復する機能を有うする。
【００１２】
そのうち、ベース２０と主体座４０及び主体座４０と輪座３０に対応する接合構造が設けられ、それは、ベース２０底部と主体座４０の対応端面に設けられた相互に対応する接合部２２とベース接合部４１とされ、そのうち、接合部２２は逆Ｌ形構造形態とされ、接合部２２の高さが比較的低い端面とベース接合部４１が組み合わされ、その接合部２２の端縁は円弧形態の案内縁２２０とされ、ベース接合部４１にそれに合わせて円弧形案内縁４１０が設けられ、接合部２２はベース接合部４１上で案内され回転し、接合部２２の高さが高い部分のベース接合部４１に対応する側縁に斜めＶ形の平直端面の回復当接面２２１が設けられ、並びに回復当接面２２１の底端に主体座回復装置５０を制限する当接部２２２が形成されて対応する主体座回復装置５０の位置に合わされて主体座４０に自動回復の機能を具備させる。
【００１３】
ベース接合部４１にあって接合部２２の回復当接面２２１の平直端面に対応する二つの相互に対応する回復収容部４１１が設けられ、該回復収容部４１１は断面がＵ形を呈して主体座回復装置５０を教示し、主体座回復装置５０の主体は弾性ブロック状の回復手段５１とされ、回復手段５１の両端がベース接合部４１の回復収容部４１１と接合部２２の回復当接面２２１に挟持並びに制圧され、ベース２０と主体座４０間の回復力を提供する。
【００１４】
ベース２０とベース接合部４１の中心部分に別にベース枢軸７０が挿通され、ベース枢軸７０の両端に雄ネジ形態が設けられて雌ネジを具えた軸固定手段７１と螺合され、主体座４０がベース枢軸７０を中心として回転可能とされ、並びにベース枢軸７０の外部に別に耐磨耗材料で形成された軸スリーブ７２が設けられ、主体座４０とベース２０及び軸の本体の摩擦が減らされて使用寿命が延長される。
【００１５】
別に主体座４０と輪座３０間が輪座枢軸８０で一体に枢設され、図３、４、５、６に示されるように、輪座３０の中心部分に軸挿通部３４が設けられ、並びに軸挿通部３４の中心に穿孔形態の軸孔３４０が設けられて輪座枢軸８０の挿通に供され、輪座枢軸８０はまた主体座４０に挿通されて別端が軸固定手段８１と相互に螺合され一体とされ、輪座枢軸８０の外部と軸固定手段８１の間に別にワッシャ形態の軸スリーブ８２が嵌合され、このような構造形態はベース枢軸７０に相当する。輪座３０は主体座４０上で垂直面の相互回転を行ない、並びに輪座枢軸８０と輪軸３１との間の偏位設計により、ローラ３３が輪座３０において回転する過程で水平及び垂直方向に移動し、緩衝、平穏の目的を達成する。
【００１６】
輪座３０と主体座４０に回復弾性を具えた回復部３５と輪座接合部４２が設けられ、そのうち、回復部３５は突出柱状の構造とされ、回復部３５に輪座回復装置６０に対応して回復当接縁３５１が設けられ、輪座接合部４２に回復部３５に対応する収容部４２０が設けられ、収容部４２０は回復部３５に向いた開口を具え且つ回復部３５を内部で移動させられる一定の長さを具え、輪座３０がその間において制限付回転可能とされる。回復部３５の別端面に収容部４２０に組み合わされる係止部３５２が設けられ、輪座３０の回転行程の最末端を形成する。輪座接合部４２に回復部３５の回復当接縁３５１に対応する回復収容部４２１が設けられ、該回復収容部４２１は下向きに開放された構造形態とされて輪座回復装置６０の回復手段６１の挿入に供され、回復手段６１が回復収容部４２１内に置かれ、回復手段６１の一端部が回復当接縁３５１に当接し、別に回復収容部４２１の末端にネジ孔形態が設けられて輪座回復装置６０の雄ネジを具えたシール手段６２が螺嵌され、回復手段６１の両端に別に二つの凹形の制限座６３が設けられ、制限座６３の一端中央に回復手段６１に向けて当接部６３０が設けられ、回復部３５に対応する制限座６３の端面に突出する支持部６３１が設けられ、回復部３５の回復当接縁３５１と当接し、もう一つの制限座６３の支持部６３１はシール手段６２の半円柱頭端支持部６２１と当接し、シール手段６２の外周に別に雄ネジ形態の調整部６２０が設けられ、シール手段６２が回復収容部４２１端部の中央で回転調整されることでその回復手段６１に向けて突出する長さが調整され、回復手段６１の圧縮量を制御して回復手段６１の回復部３５に対する付勢力調整される。
【００１７】
ベース２０とスケートボード１０の間に別に異なる高さと傾斜の調整手段２３が設けられ、ベース２０とスケートボード１０の間が異なる傾斜と高さを具備するものとされ、これにより全体が異なるローラ３３の直径に対応してベース２０とスケートボード１０間の距離調整可能とされる。
【００１８】
前述の各図に示される構造のうち、ベース２０と主体座４０の間には主体座回復装置５０が設けられ、主体座４０と二つの輪座３０の間の輪座回復装置６０は一組の回復手段６１、シール手段６２、制限座６３を具えているが、輪座回復装置６０はまた主体座回復装置５０と同様に回復手段がブロック状の構造形態に設けられ得る。
【００１９】
また図７に示されるように、本考案の主体座回復装置５０、輪座回復装置６０の設計は、弾性ブロック構造とされ得て、そのうち、ベース接合部４１と接合部２２の間の主体座回復装置５０は波形弾性ゴム状の弾性ブロック構造とされ、輪座３０と主体座４０に対応して設けられる回復弾性を具えた回復部３５及び輪座接合部４２の間に設置される輪座回復装置６０の回復手段６１もまた図示されるようにゴムブロックの形態とされ得て、その他のこの回復手段６１Ａに対応する構造もまた改変され、回復部３５Ａは突出柱状とされ、回復部３５Ａに輪座回復装置６０の平直端に対応して回復当接縁３５１Ａが設けられ、輪座接合部４２Ａに収容部４２０Ａが設けられ、回復部３５Ａの別端面が収容部４２０Ａの係止と組み合わされて輪座３０回転行程の最末端を形成し、これにより同様の効果を達成する。
【００２０】
前述の構造により、以下の機能が獲得される。各ローラ３３の輪体動作が独立し且つ三次元方式で変動し、コーナリングの機動性が増し、更に板体の安定度が高められ、極めて良好な緩衝性が達成され、全体の安全性が高められ、高い平衡性を提供する。また、本考案の構造形態はまた多輪形態のローラースケート靴に実施可能で、その構造機能もまた高い機動性、高い安定度及び高い緩衝性と高い安全性の目的を達成できる。
以上の実施例は本考案の範囲を限定するものではなく、本考案に基づきなしうる細部の修飾或いは改変は、いずれも本考案の請求範囲に属するものとする。
【図面の簡単な説明】
【００２１】
【図１】本考案の第１実施例の立体外観図である。
【図２】本考案の第１実施例の別角度の立体外観図である。
【図３】本考案の第１実施例のベースと主体座の立体外観システム分解図である。
【図４】本考案の第１実施例のベースと主体座の接合構造表示図である。
【図５】本考案の第１実施例のベースと主体座の接合断面構造表示図である。
【図６】本考案の輪座と主体座の断面構造表示図である。
【図７】本考案の回復装置の別の実施例表示図である。
【符号の説明】
【００２２】
１０  スケートボード                  １１  板体
２０  ベース                          ２１  固定部
２２  接合部                          ２２０  案内縁
２２１  回復当接面                    ２２２  当接部
２３  調整手段
３０  輪座                            ３１  輪軸
３２  軸受                            ３３  ローラ
３４  軸挿通部                        ３４０  軸孔
３５  回復部                          ３５０  案内縁
３５１  回復当接縁
４０  主体座                          ４１  ベース接合部
４１０  案内縁                        ４１１  回復収容部
４２  輪座接合部                      ４２０  収容部
４２１  回復収容部
４３  防塵装置
５０  主体座回復装置
５１  回復手段                        ５２  シール手段
５３  制限座                          ５３０  当接部
５３１  支持部
５４  調整手段                        ５４１  支持部
５４０  調整部
５５  位置決め手段
６０  輪座回復装置
６１  回復手段                        ６２  シール手段
６３  制限座                          ６３０  当接部
６３１  支持部
６４  調整手段                        ６４１  支持部
６４０  調整部
６５  位置決め手段
７０  ベース枢軸                      ７１  軸固定手段
７２  軸スリーブ
８０  輪座枢軸                        ８１  軸固定手段
８２  軸スリーブ
【図１】
0003107539.tif 000003
【図２】
0003107539.tif 000004
【図３】
0003107539.tif 000005
【図４】
0003107539.tif 000006
【図５】
0003107539.tif 000007
【図６】
0003107539.tif 000008
【図７】
0003107539.tif 000009